(57)【要約】【課題】Ｗｅｂブラウザやアプリケーションプログラムを起動した場合でも、視聴中のテレビ番組を録画することができ、後刻、視聴できるテレビ機能付携帯機器を提供する。【解決手段】映像データ、音声データおよびデータ放送用コンテンツを含むディジタル放送波を受信するチューナ制御部と、受信した映像データおよび音声データに従った映像および音声を表示部およびスピーカーに出力するテレビ制御部と、受信したデータ放送用コンテンツに従ってリンク情報などを表示部に表示するデータ放送用ブラウザと、テレビ番組の視聴中にアプリケーションプログラムの起動が要求されたとき（Ｓ５０２，Ｓ５０３）、蓄積制御部を使用してテレビ番組の映像データおよび音声データをデータ蓄積部に蓄積する（Ｓ５０７）とともに、起動要求されたアプリケーションプログラムを起動する（Ｓ５０８）ための制御部とを具備する。【選択図】図５
2011135605.tif 000002
【特許請求の範囲】
【請求項１】
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器において、
データ蓄積部を備え、且つ、
テレビ番組の視聴中の利用者によって全画面表示を行うアプリケーションプログラムの起動が指示された場合、前記ディジタル放送波によって送られてくる映像データ及び音声データを順次前記データ蓄積部に蓄積する構成を有することを特徴とするテレビ機能付携帯機器。
【請求項２】
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器において、
データ蓄積部を備え、且つ、
テレビ番組の視聴中の利用者によってＨＴＭＬコンテンツの提示が指示された場合、前記ディジタル放送波によって送られてくる映像データ及び音声データを順次前記データ蓄積部に蓄積すると共に、前記テレビ番組の代わりに前記ＨＴＭＬコンテンツを利用者に視聴させる構成を有することを特徴とするテレビ機能付携帯機器。
【請求項３】
請求項２記載のテレビ機能付携帯機器において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とするテレビ機能付携帯機器。
【請求項４】
請求項２記載のテレビ機能付携帯機器において、
前記データ放送用コンテンツが、ＨＴＭＬコンテンツへのリンク情報を含み、且つ、
前記テレビ機能付携帯機器が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とするテレビ機能付携帯機器。
【請求項５】
請求項４記載のテレビ機能付携帯機器において、
前記リンク情報を前記データ蓄積部に登録する際、現在視聴中のテレビ番組を特定するテレビ番組特定情報に対応付けて前記リンク情報を登録する構成を有することを特徴とするテレビ機能付携帯機器。
【請求項６】
表示部と、
音声出力部と、
データ蓄積部と、
映像データ、音声データ及びデータ放送用コンテンツを含んだディジタル放送波を受信するディジタル放送波受信部と、
該ディジタル放送波受信部で受信したディジタル放送波に含まれている映像データに従った映像を前記表示部の一部に表示すると共に、前記ディジタル放送波に含まれている音声データに従った音声を前記音声出力部から出力するテレビ制御部と、
前記ディジタル放送波受信部で受信したディジタル放送波に含まれているデータ放送用コンテンツに従って、リンク情報を含む画像を、前記表示部の前記テレビ制御部によって画像が表示されていない部分に表示するデータ放送用ブラウザと、
前記表示部に表示されているリンク情報が操作されたとき、該操作されたリンク情報のリンク先コンテンツが、ＨＴＭＬコンテンツであるか、データ放送用コンテンツであるかを判定する制御部と、
該制御部でリンク先コンテンツがＨＴＭＬコンテンツであると判定された場合、前記テレビ制御部に代わって、前記表示部及び前記音声出力部に対して、前記ＨＴＭＬコンテンツに従った表示及び音声出力を行う通信ブラウザと、
前記制御部でリンク先コンテンツがＨＴＭＬコンテンツであると判定された場合、前記ディジタル放送波受信部で受信した映像データ及び音声データを順次前記データ蓄積部に蓄積する蓄積制御部とを備えたことを特徴とするテレビ機能付携帯機器。
【請求項７】
請求項６記載のテレビ機能付携帯機器において、
前記蓄積制御部が、前記映像データ及び音声データに加えて、前記ディジタル放送波受信部によって受信されたディジタル放送波に含まれているデータ放送用コンテンツも前記データ蓄積部に蓄積する構成を有することを特徴とするテレビ機能付携帯機器。
【請求項８】
請求項６記載のテレビ機能付携帯機器において、
前記蓄積制御部が、利用者によってデータ放送用コンテンツ保存要求が入力されたとき、前記表示部に現在表示されているデータ放送用コンテンツ中のリンク情報を前記データ蓄積部に蓄積する構成を有することを特徴とするテレビ機能付携帯機器。
【請求項９】
請求項８記載のテレビ機能付携帯機器において、
前記蓄積制御部が、前記リンク情報を前記データ蓄積部に登録する際、現在視聴中のテレビ番組を特定するテレビ番組特定情報に対応付けて前記リンク情報を登録する構成を有することを特徴とするテレビ機能付携帯機器。
【請求項１０】
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器における番組情報蓄積方法であって、
テレビ番組の視聴中の利用者によって全画面表示を行うアプリケーションプログラムの起動が指示された場合、前記ディジタル放送波によって送られてくる映像データ及び音声データを順次データ蓄積部に蓄積することを特徴とする番組情報蓄積方法。
【請求項１１】
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器における番組情報蓄積方法であって、
テレビ番組の視聴中の利用者によってＨＴＭＬコンテンツの提示が指示された場合、前記ディジタル放送波によって送られてくる映像データ及び音声データを順次データ蓄積部に蓄積すると共に、前記テレビ番組の代わりに前記ＨＴＭＬコンテンツを利用者に視聴させることを特徴とする番組情報蓄積方法。
【請求項１２】
請求項１１記載の番組情報蓄積方法において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積することを特徴とする番組情報蓄積方法。
【請求項１３】
請求項１１記載の番組情報蓄積方法において、
前記データ放送用コンテンツが、ＨＴＭＬコンテンツへのリンク情報を含み、且つ、
テレビ番組の視聴中の利用者によってデータ放送用コンテンツ保存要求が入力されたとき、現在表示中のデータ放送用コンテンツに含まれているリンク情報を前記データ蓄積部に蓄積することを特徴とする番組情報蓄積方法。
【請求項１４】
請求項１３記載の番組情報蓄積方法において、
前記リンク情報を前記データ蓄積部に登録する際、現在視聴中のテレビ番組を特定するテレビ番組特定情報に対応付けて前記リンク情報を登録することを特徴とする番組情報蓄積方法。
【請求項１５】
データ蓄積部を備えたコンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器として機能させるためのプログラムであって、
前記コンピュータを、
テレビ番組の視聴中の利用者によって全画面表示を行うアプリケーションプログラムの起動が指示された場合、前記ディジタル放送波によって送られてくる映像データ及び音声データを順次前記データ蓄積部に蓄積する手段として機能させるためのプログラム。
【請求項１６】
データ蓄積部を備えたコンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器として機能させるためのプログラムであって、
前記コンピュータを、
テレビ番組の視聴中の利用者によってＨＴＭＬコンテンツの提示が指示された場合、前記ディジタル放送波によって送られてくる映像データ及び音声データを順次前記データ蓄積部に蓄積すると共に、前記テレビ番組の代わりに前記ＨＴＭＬコンテンツを利用者に視聴させる手段として機能させるためのプログラム。
【請求項１７】
請求項１６記載のプログラムにおいて、
前記手段が、テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とするプログラム。
【請求項１８】
請求項１６記載のプログラムにおいて、
前記データ放送用コンテンツが、ＨＴＭＬコンテンツへのリンク情報を含み、且つ、
前記手段が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とするプログラム。
【請求項１９】
請求項１８記載のプログラムにおいて、
前記手段が、前記リンク情報を前記データ蓄積部に登録する際、現在視聴中のテレビ番組を特定するテレビ番組特定情報に対応付けて前記リンク情報を登録する構成を有することを特徴とするプログラム。
【発明の詳細な説明】
【技術分野】
【０００１】
本発明は、テレビ受信機能を有する携帯電話装置などの携帯機器に関し、特に、テレビ
番組の視聴中の利用者によって全画面表示を行うアプリケーションプログラムが起動され
た場合、視聴中のテレビ番組を録画しておき、後刻、視聴できるようにしたテレビ機能付
携帯機器に関する。
【背景技術】
【０００２】
近年の携帯電話装置は、本来の通話機能に加え、様々な機能を備えており、テレビ受信機能を備えた携帯電話装置も従来から知られている。このようなテレビ受信機能を有する携帯電話装置は、携帯電話装置などの移動体をターゲットにした地上ディジタル放送の放送開始に伴い、広く普及することが予測される。
【０００３】
ところで、従来のテレビ受信機能を有する携帯電話装置としては、次のようなものが知られている。例えば、特開２００５−３１８１６３号公報（特許文献１）に記載されている従来の携帯電話装置は、利用者がテレビ番組を視聴中に、そのテレビ番組に関する情報が載った、たとえばインターネットのような放送波以外のネットワーク上のコンテンツ（以下、単にＨＴＭＬ(Hyper Text Markup Language)コンテンツと言う）を参照できるようにするため、ＨＴＭＬコンテンツを提供するＷｅｂサーバのＵＲＬ(Uniform Resource Locator)、利用者が現在どの地域にいるのかを示す地域情報および視聴中の番組の受信周波数が格納されたメモリと、リンクボタンとを備えている。
【０００４】
特許文献１に開示されている携帯電話装置を用いて、テレビ番組を視聴中の利用者が、そのテレビ番組に関する情報が載ったＨＴＭＬコンテンツを参照する場合には、リンクボタンを操作する。これにより、携帯電話装置では、先ず、番組の受信処理を停止し、その後、Ｗｅｂサーバに対してメモリに格納されている地域情報および受信周波数を送信する。Ｗｅｂサーバでは、携帯電話装置から送られてきた地域情報および受信周波数に基づいて、利用者が視聴していたテレビ番組を特定し、そのテレビ番組に関するＨＴＭＬコンテンツを携帯電話装置へ送信する。携帯電話装置では、全画面表示を行うＷｅｂブラウザが、Ｗｅｂサーバから送られてきたＨＴＭＬコンテンツに従った表示および音声出力を行う。その後、利用者がＷｅｂブラウザを終了させると、携帯電話装置は、メモリに格納されている受信周波数に従って、番組の受信処理を再開する。
【０００５】
特許文献１に記載されている従来の技術によれば、利用者は、番組の視聴中にリンクボタンを操作するだけで、その番組に関するＨＴＭＬコンテンツを参照することが可能になる。
【先行技術文献】
【特許文献】
【０００６】
【特許文献１】特開２００５−３１８１６３号公報
【発明の概要】
【発明が解決しようとする課題】
【０００７】
しかしながら、特許文献１に記載されている従来の技術では、利用者が視聴中の番組に関するＨＴＭＬコンテンツを参照するためにリンクボタンを操作すると、全画面表示を行うＷｅｂブラウザを起動してＨＴＭＬコンテンツを表示するようにしているため、上記ＨＴＭＬコンテンツを表示している間に放送された番組内容を利用者が全く視聴できなくなってしまうという問題がある。このような問題は、テレビ番組の視聴中にＷｅｂブラウザを起動した場合だけでなく、他の全画面表示を行うアプリケーションプログラムを起動した場合にも発生する。
【０００８】
本発明は、テレビ番組の視聴中の利用者によって全画面表示を行うアプリケーションプログラムが起動された場合、アプリケーションプログラムによって全画面表示が行われている間に放送されたテレビ番組の内容を、利用者が後で視聴できるようにしたテレビ機能付携帯機器及び番組情報蓄積方法並びにプログラムを提供し得る。
【課題を解決するための手段】
【０００９】
本発明における第１のテレビ機能付携帯機器は、
ディジタル放送波によって送られてくる映像データ、音声データ及びＢＭＬ(Broadcast Markup Language)、ＨＴＭＬなどのデータ放送用コンテンツ（以下、単にデータ放送用コンテンツと言う）を受信し、前記映像データ及び前記データ放送用コンテンツに従った表示を行うと共に前記音声データに従った音声出力を行うことにより、利用者にテレビ番組を視聴させるテレビ機能付携帯機器において、
データ蓄積部を備え、且つ、
テレビ番組の視聴中に利用者によって全画面表示を行うアプリケーションプログラムの起動が指示された場合、前記ディジタル放送波によって送られてくる映像データ及び音声データを順次前記データ蓄積部に蓄積する構成を有することを特徴とする。
【００１０】
本発明における第２のテレビ機能付携帯機器は、
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器において、
データ蓄積部を備え、且つ、
テレビ番組の視聴中の利用者によってＨＴＭＬコンテンツの提示が指示された場合、前記ディジタル放送波によって送られてくる映像データ及び音声データを順次前記データ蓄積部に蓄積すると共に、前記テレビ番組の代わりに前記ＨＴＭＬコンテンツを利用者に視聴させる構成を有することを特徴とする。
【００１１】
本発明における第３のテレビ機能付携帯機器は、第２のテレビ機能付携帯機器において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とする。
【００１２】
本発明における第４のテレビ機能付携帯機器は、第２のテレビ機能付携帯機器において、
前記データ放送用コンテンツが、ＨＴＭＬコンテンツへのリンク情報を含み、且つ、
前記テレビ機能付携帯機器が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とする。
【００１３】
本発明における第５のテレビ機能付携帯機器は、第４のテレビ機能付携帯機器において、
前記リンク情報を前記データ蓄積部に登録する際、現在視聴中のテレビ番組を特定するテレビ番組特定情報に対応付けて前記リンク情報を登録する構成を有することを特徴とする。
【００１４】
本発明における第６のテレビ機能付携帯機器は、
表示部と、
音声出力部と、
データ蓄積部と、
映像データ、音声データ及びデータ放送用コンテンツを含んだディジタル放送波を受信するディジタル放送波受信部と、
該ディジタル放送波受信部で受信したディジタル放送波に含まれている映像データに従った映像を前記表示部の一部に表示すると共に、前記ディジタル放送波に含まれている音声データに従った音声を前記音声出力部から出力するテレビ制御部と、
前記ディジタル放送波受信部で受信したディジタル放送波に含まれているデータ放送用コンテンツに従って、リンク情報を含む画像を、前記表示部の前記テレビ制御部によって画像が表示されていない部分に表示するデータ放送用ブラウザと、
前記表示部に表示されているリンク情報が操作されたとき、該操作されたリンク情報のリンク先コンテンツが、ＨＴＭＬコンテンツであるか、データ放送用コンテンツであるかを判定する制御部と、
該制御部でリンク先コンテンツがＨＴＭＬコンテンツであると判定された場合、前記テレビ制御部に代わって、前記表示部及び前記音声出力部に対して、前記ＨＴＭＬコンテンツに従った表示及び音声出力を行う通信ブラウザと、
前記制御部でリンク先コンテンツがＨＴＭＬコンテンツであると判定された場合、前記ディジタル放送波受信部で受信した映像データ及び音声データを順次前記データ蓄積部に蓄積する蓄積制御部とを備えたことを特徴とする。
【００１５】
本発明における第７のテレビ機能付携帯機器は、第６のテレビ機能付携帯機器において、
前記蓄積制御部が、前記映像データ及び音声データに加えて、前記ディジタル放送波受信部によって受信されたディジタル放送波に含まれているデータ放送用コンテンツも前記データ蓄積部に蓄積する構成を有することを特徴とする。
【００１６】
本発明における第８のテレビ機能付携帯機器は、第６のテレビ機能付携帯機器において、
前記蓄積制御部が、利用者によってデータ放送用コンテンツ保存要求が入力されたとき、前記表示部に現在表示されているデータ放送用コンテンツ中のリンク情報を前記データ蓄積部に蓄積する構成を有することを特徴とするテレビ機能付携帯機器。
【００１７】
本発明における第９のテレビ機能付携帯機器は、第８のテレビ機能付携帯機器において、
前記蓄積制御部が、前記リンク情報を前記データ蓄積部に登録する際、現在視聴中のテレビ番組を特定するテレビ番組特定情報に対応付けて前記リンク情報を登録する構成を有することを特徴とする。
【００１８】
本発明における第１の番組情報蓄積方法は、
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器における番組情報蓄積方法であって、
テレビ番組の視聴中の利用者によって全画面表示を行うアプリケーションプログラムの起動が指示された場合、前記ディジタル放送波によって送られてくる映像データ及び音声データを順次データ蓄積部に蓄積することを特徴とする。
【００１９】
本発明における第２の番組情報蓄積方法は、
ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器における番組情報蓄積方法であって、
テレビ番組の視聴中の利用者によってＨＴＭＬコンテンツの提示が指示された場合、前記ディジタル放送波によって送られてくる映像データ及び音声データを順次データ蓄積部に蓄積すると共に、前記テレビ番組の代わりに前記ＨＴＭＬコンテンツを利用者に視聴させることを特徴とする。
【００２０】
本発明における第３の番組情報蓄積方法は、第２の番組情報蓄積方法において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積することを特徴とする。
【００２１】
本発明における第４の番組情報蓄積方法は、第２の番組情報蓄積方法において、
前記データ放送用コンテンツが、ＨＴＭＬコンテンツへのリンク情報を含み、且つ、
テレビ番組の視聴中の利用者によってデータ放送用コンテンツ保存要求が入力されたとき、現在表示中のデータ放送用コンテンツに含まれているリンク情報を前記データ蓄積部に蓄積することを特徴とする。
【００２２】
本発明における第５の番組情報蓄積方法は、第４の番組情報蓄積方法において、
前記リンク情報を前記データ蓄積部に登録する際、現在視聴中のテレビ番組を特定するテレビ番組特定情報に対応付けて前記リンク情報を登録することを特徴とする。
【００２３】
本発明における第１のプログラムは、
データ蓄積部を備えたコンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器として機能させるためのプログラムであって、
前記コンピュータを、
テレビ番組の視聴中の利用者によって全画面表示を行うアプリケーションプログラムの起動が指示された場合、前記ディジタル放送波によって送られてくる映像データ及び音声データを順次前記データ蓄積部に蓄積する手段として機能させる。
【００２４】
本発明における第２のプログラムは、
データ蓄積部を備えたコンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、利用者にテレビ番組を視聴させるテレビ機能付携帯機器として機能させるためのプログラムであって、
前記コンピュータを、
テレビ番組の視聴中の利用者によってＨＴＭＬコンテンツの提示が指示された場合、前記ディジタル放送波によって送られてくる映像データ及び音声データを順次前記データ蓄積部に蓄積すると共に、前記テレビ番組の代わりに前記ＨＴＭＬコンテンツを利用者に視聴させる手段として機能させる。
【００２５】
本発明における第３のプログラムは、第２のプログラムにおいて、
前記手段が、テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とする。
【００２６】
本発明における第４のプログラムは、第２のプログラムにおいて、
前記データ放送用コンテンツが、ＨＴＭＬコンテンツへのリンク情報を含み、且つ、
前記手段が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とする。
【００２７】
本発明における第５のプログラムは、第４のプログラムにおいて、
前記手段が、前記リンク情報を前記データ蓄積部に登録する際、現在視聴中のテレビ番組を特定するテレビ番組特定情報に対応付けて前記リンク情報を登録する構成を有することを特徴とする。
【００２８】
（作用）
テレビ機能付携帯機器は、ディジタル放送波によって送られてくる映像データ、音声データ及びデータ放送用コンテンツを受信し、上記映像データ及び上記データ放送用コンテンツに従った表示を行うと共に上記音声データに従った音声出力を行うことにより、利用者にテレビ番組を視聴させる。テレビ番組の視聴中の利用者によって全画面表示を行うアプリケーションプログラムの起動が指示されると、テレビ機能付携帯機器は、ディジタル放送波によって送られてくる映像データ及び音声データを順次データ蓄積部に蓄積し、利用者が後で視聴できるようにする。
【発明の効果】
【００２９】
本発明によれば、テレビ番組の視聴中の利用者によって全画面表示を行うアプリケーションプログラムが起動された場合であっても、アプリケーションプログラムによって全画面表示が行われている間に放送されたテレビ番組の内容を、後で視聴することができるという効果を得ることができる。その理由は、テレビ番組の視聴中に利用者によって全画面表示を行うアプリケーションプログラムの起動が指示された場合、ディジタル放送波によって送られてくる映像データ及び音声データを順次データ蓄積部に蓄積するようにしているからである。
【図面の簡単な説明】
【００３０】
【図１】図１は、本発明の第１の実施例によるテレビ機能付携帯電話装置１の外観図である。
【図２】図２は、図１に図示のテレビ機能付携帯電話装置１の構成例を示すブロック図である。
【図３】図３は、図２に図示の管理テーブル３１の内容例を示す図である。
【図４Ａ】図４Ａは、図２に図示の管理テーブル３１の内容が遷移する様子を示した図である。
【図４Ｂ】図４Ｂは、図２に図示の管理テーブル３１の内容が遷移する様子を示した図である。
【図４Ｃ】図４Ｃは、図２に図示の管理テーブル３１の内容が遷移する様子を示した図である。
【図４Ｄ】図４Ｄは、図２に図示の管理テーブル３１の内容が遷移する様子を示した図である。
【図５】図５は、図２に図示の制御部２４の処理例（主にテレビ番組を視聴中にリンク情報が操作されたときの処理）を示すフローチャートである。
【図６】図６は、データ放送用コンテンツ保存要求が入力されたときの制御部２４の処理例を示すフローチャートである。
【図７】図７は、本発明による第２の実施例における制御部２４の処理例を示すフローチャートである。
【発明を実施するための形態】
【００３１】
以下、本発明の幾つかの好ましい実施例について添付の図面を参照して詳細に説明する。
【００３２】
（第１の実施例における構成の説明）
図１の外観図を参照すると、本発明の第１の実施例であるテレビ機能付携帯電話装置１は、その外面にＬＣＤ画面(Liquid Crystal Display)、ＥＬ画面(Electro-Luminescence display)等によって構成される表示部１１と、テンキーやファンクションキー等によって構成されるキー入力部１２とを備えている。
【００３３】
図２のブロック図を参照すると、テレビ機能付携帯電話装置１は、その内部に、入力処理部２１、テレビ制御部２２ａ、データ放送用ブラウザ２２ｂ、通信ブラウザ２２ｃ、状態管理部２２ｄ、蓄積制御部２３ａ、データ蓄積部２３ｂ、制御部２４、無線処理部２５、音声処理部２６、マイクロフォン２６ａ、スピーカー２６ｂ、表示制御部２７、表示部１１、動画処理部２８、チューナデータ処理部２９ａおよびチューナ制御部２９ｂを備えている。なお、第１の実施例では、チューナデータ処理部２９ａ、チューナ制御部２９ｂ及びデータ蓄積部２３ｂをテレビ機能付携帯電話装置１に内蔵するようにしたが、外付けで接続するようにしても良い。
【００３４】
入力処理部２１は、利用者によってキー入力部１２に設けられている各種キーが操作されたとき、その操作内容を制御部２４に通知する機能を有する。
【００３５】
制御部２４は、入力処理部２１から通知されたキーの操作内容に従ってテレビ機能付携帯電話装置１内の各部を制御する機能や、テレビ機能付携帯電話装置１内の各部でやり取りされるデータ等を中継する機能などを有する。
【００３６】
テレビ制御部２２ａは、利用者にテレビ番組を視聴させるための機能を有する。より具体的には、利用者がキー入力部１２を用いて選局操作を行った場合、制御部２４からの指示に従ってチューナ制御部２９ｂにおける受信周波数を利用者が選局した放送局の周波数に変更する機能や、チューナデータ処理部２９ａから供給された現在視聴中のテレビ番組の映像データ及び音声データをそれぞれ動画処理部２８及び音声処理部２６に出力する機能などを有する。
【００３７】
データ放送用ブラウザ２２ｂは、チューナデータ処理部２９ａから出力されているデータ放送で記述されたコンテンツ（データ放送用コンテンツ）に従って、リンクボタン等のリンク情報を含む画像を表示部１１に表示する機能や、表示部１１に表示しているリンク情報が利用者によって操作された場合、上記リンク情報のリンク先を示すＵＲＬを制御部２４に渡す機能などを有する。
【００３８】
通信ブラウザ２２ｃは、全画面表示を行うアプリケーションプログラムによって実現されるものであり、無線処理部２５を介して受信したインターネット上のＨＴＭＬコンテンツ（ＨＴＭＬやcompact-ＨＴＭＬで記述されたコンテンツ）に従った映像及び音声をそれぞれ表示部１１，スピーカー２６ｂに出力する機能などを有する。
【００３９】
状態管理部２２ｄは、テレビ制御部２２ａ、データ放送用ブラウザ２２ｂ、通信ブラウザ２２ｃおよび表示部１１の状態を、その内部に設けられている図３に示すような管理テーブル３１を利用して管理している。なお、第１の実施例では、各部は次のような状態をとることができるとしている。
【００４０】
・テレビ制御部２２ａは、停止中、実行中、蓄積準備中、蓄積中および再生中の５つの状態をとる。
・データ放送用ブラウザ２２ｂは、停止中、提示中、蓄積準備中、蓄積中および再生中の５つの状態をとる。
・通信ブラウザ２２ｃは、停止中、提示準備中および提示中の３つの状態をとる。
・表示部１１は、分割表示、全画面準備中および全画面表示の３つの状態をとる。
【００４１】
管理テーブル３１の内容は、イベント発生時に制御部２４がテレビ機能付携帯電話装置１の状態を認識するために利用される。即ち、制御部２４では、発生したイベントの種類と、現在のテレビ機能付携帯電話装置１の状態とに基づいて、テレビ機能付携帯電話装置１内の各部を制御する必要があるため、管理テーブル３１を利用してテレビ機能付携帯電話装置１の状態を認識する。
【００４２】
例えば、ＨＴＭＬコンテンツの提示を要求するイベントが発生した場合、管理テーブル３１の内容が図３に示すものであれば、制御部２４は、テレビ機能付携帯電話装置１が現在テレビ視聴状態にあると判断し、利用者に対してテレビ視聴を継続するのか、それとも視聴中のテレビ番組は蓄積し、ＨＴＭＬコンテンツを全画面表示するのかを確認するためのポップアップ表示を行い、更に、状態管理部２２ｄを使用して管理テーブル３１で管理されている各部の状態をテレビ制御部２２ａ＝蓄積準備中、データ放送用ブラウザ２２ｂ＝蓄積準備中、通信ブラウザ２２ｃ＝提示準備中、表示部１１＝全画面準備中に変更する。また、ポップアップ表示を介して利用者からテレビ番組を蓄積し、ＨＴＭＬコンテンツを全画面表示するという指示が入力された場合、管理テーブル３１の内容が上記したものであれば、蓄積制御部２３ａに対してチューナデータ処理部２９ａから出力されている映像データ、音声データおよびデータ放送用コンテンツをデータ蓄積部２３ｂに蓄積することを指示すると共に、状態管理部２２ｄを使用して管理テーブル３１で管理されている各部の状態をテレビ制御部２２ａ＝蓄積中、データ放送用ブラウザ２２ｂ＝蓄積中、ＨＴＭＬ(Hyper Text Markup Language)ブラウザ２２ｃ＝提示中、表示部１１＝全画面表示に変更する。また、ＨＴＭＬコンテンツの提示を要求するイベントが発生した場合であっても、管理テーブル３１の内容が上記したものである場合は、テレビ機能付携帯電話装置１が現在テレビ番組を録画しながらＨＴＭＬコンテンツを提示している状態にあると判断し、無線処理部２５を介して提示要求されているＨＴＭＬコンテンツをインターネット上から取得する処理を行う。
【００４３】
蓄積制御部２３ａは、チューナデータ処理部２９ａから出力されている映像データ、音声データおよびデータ放送用コンテンツをデータ蓄積部２３ｂに蓄積する機能を有する。
【００４４】
データ蓄積部２３ｂには、蓄積制御部２３ａによって、映像データ、音声データおよびデータ放送用コンテンツが蓄積される。
【００４５】
無線処理部２５は、携帯電話網との通信処理を行う。
【００４６】
音声処理部２６は、オーディオＣＯＤＥＣ(Coder/Decoder)の処理を行い、マイクロフォン２６ａ、スピーカー２６ｂとの入出力を行う。
【００４７】
表示制御部２７は、表示部１１に表示する画面（アイコン、ＰＯＰ-ＵＰメッセージ、動画など）の合成を行い、合成した画面を表示部１１に表示する機能を有する。
【００４８】
動画処理部２８は、ビデオＣＯＤＥＣの処理を行い、再生処理の場合は、復号化した画像を表示制御部２７へ渡す。
【００４９】
チューナ制御部２９ｂは、地上ディジタル放送によるディジタル放送波を受信するチューナモジュールを内部に有し、その受信周波数を制御する。ディジタル放送波には、映像データ、音声データおよびデータ放送用コンテンツ（データ放送）が含まれる。
【００５０】
チューナデータ処理部２９ａは、チューナ制御部２９ｂで受信したディジタル放送波を復調し、出力する機能を有する。
【００５１】
テレビ機能付携帯電話装置１内の入力処理部２１、テレビ制御部２２ａ、データ放送用ブラウザ２２ｂ、通信ブラウザ２２ｃ、状態管理部２２ｄ、蓄積制御部２３ａはＣＰＵ（コンピュータ）によって実現可能であり、コンピュータによって実現する場合は、例えば次のようにする。コンピュータを入力処理部２１、テレビ制御部２２ａ、データ放送用ブラウザ２２ｂ、通信ブラウザ２２ｃ、状態管理部２２ｄ、蓄積制御部２３ａおよび制御部２４として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、入力処理部２１、テレビ制御部２２ａ、データ放送用ブラウザ２２ｂ、通信ブラウザ２２ｃ、状態管理部２２ｄ、蓄積制御部２３ａを実現する。
【００５２】
（第１の実施例における動作の説明）
次に、第１の実施例の動作について詳細に説明する。
【００５３】
テレビ機能付携帯電話装置１の利用者は、テレビ番組の視聴を開始する場合、先ず、キー入力部１２を用いてテレビ受信機能を有効にするためのキー操作を行い、その後、キー入力部１２を用いて見たいテレビ番組を放送している放送局を選局するためのキー操作を行う。
【００５４】
利用者が行ったキー操作の内容は、入力処理部２１を介して制御部２４に通知される。
【００５５】
制御部２４は、入力処理部２１からの通知に基づいて、利用者がテレビ受信機能を有効にするためのキー操作を行ったことを認識すると、テレビ制御部２２ａ及びデータ放送用ブラウザ２２ｂを起動すると共に、状態管理部２２ｄに対して、管理テーブル３１で管理しているテレビ制御部２２ａ、データ放送用ブラウザ２２ｂ、通信ブラウザ２２ｃ、表示部１１の状態をそれぞれ実行中、提示中、停止中、分割表示にすることを指示する。状態管理部２２ｄは、制御部２４からの指示に従って管理テーブル３１の内容を図４Ａに示すものに変更する。
【００５６】
更に、制御部２４は、入力処理部２１からの通知に基づいて、利用者が放送局を選局するためのキー操作を行ったことを認識すると、チューナ制御部２９ｂに受信周波数として、利用者が選局した放送局の周波数を設定する。
【００５７】
これにより、利用者が視聴したいテレビ番組の映像データ、音声データ及び上記テレビ番組に関する情報へのリンク情報等を含むデータ放送用コンテンツが、チューナデータ処理部２９ａから出力され、テレビ制御部２２ａは上記映像データ及び音声データをそれぞれ動画処理部２８及び音声処理部２６に供給し、データ放送用ブラウザ２２ｂは、上記データ放送用コンテンツに従った画像（リンク情報を含む）を表示するための画像データを表示制御部２７に供給する。
【００５８】
音声処理部２６では、テレビ制御部２２ａから供給された音声データに従った音声をスピーカー２６ｂから出力する。動画処理部２８では、テレビ制御部２２ａから供給された映像データを復号して表示制御部２７に供給し、表示制御部２７では、データ放送用ブラウザ２２ｂからの画像データと、動画処理部２８からのデータとを合成して（例えば、動画処理部２８からのデータに従った画像を表示部１１の上方に表示し、データ放送用ブラウザ２２ｂからの画像データに従った画像を表示部１１の下方に表示するというような画面分割を行って）表示部１１に表示する。
【００５９】
次に、図５のフローチャートを参照して、利用者がテレビ番組を視聴中に、表示部１１に表示されているリンク情報を操作した場合の動作を説明する。
【００６０】
利用者は、テレビ番組を視聴中にその番組に関する情報を参照したい場合、表示部１１に表示されているリンク情報を操作する。このリンク情報は、データ放送用ブラウザ２２ｂによって表示されているものであり、データ放送用ブラウザ２２ｂは、リンク情報が操作されると（ステップＳ５０２がＹＥＳ）、そのリンク先を示すＵＲＬを制御部２４に渡す。
【００６１】
制御部２４は、データ放送用ブラウザ２２ｂからＵＲＬが渡されると、それに基づいてリンク先のコンテンツが、データ放送用コンテンツなのか、ＨＴＭＬコンテンツなのかを判断する（ステップＳ５０３）。地上ディジタル放送では、データ放送用コンテンツの場合は、テレビ番組と同時に提示できるが（分割表示できるが）、インターネット上に公開されているＨＴＭＬコンテンツの場合は、通信ブラウザ２２ｃによってＨＴＭＬコンテンツを全画面表示とすることが運用上規定されている。
【００６２】
リンク先のコンテンツが、分割表示可能なデータ放送用コンテンツであると判断した場合（ステップＳ５０３がＮＯ）は、制御部２４は、管理テーブル３１の内容が図４Ａに示すものになっているので（テレビ機能付携帯電話装置１の状態がテレビ視聴状態になっているので）、データ放送用ブラウザ２２ｂから渡されているＵＲＬに従って該当するデータ放送用コンテンツを取得し、取得したデータ放送用コンテンツをデータ放送用ブラウザ２２ｂに渡す（ステップＳ５０４）。これにより、データ放送用ブラウザ２２ｂは、制御部２４から渡されたデータ放送用コンテンツに従った画像を、表示部１１に表示されているテレビ番組に重畳して表示する。
【００６３】
これに対して、リンク先のコンテンツが、全画面表示しなければならないＨＴＭＬコンテンツであると判断した場合（ステップＳ５０３がＹＥＳ）は、制御部２４は、管理テーブル３１の内容が図４（Ａ）に示すものになっているので、利用者に対してテレビ視聴を継続するのか、それとも視聴中のテレビ番組は蓄積し、ＨＴＭＬコンテンツを全画面表示するのかを確認するためのポップアップ表示を行い、更に、状態管理部２２ｄに対してテレビ制御部２２ａ、データ放送用ブラウザ２２ｂ、通信ブラウザ２２ｃ、表示部１１の状態をそれぞれ、蓄積準備中、蓄積準備中、提示準備中、全画面準備中にすることを指示する。これにより、状態管理部２２ｄは、管理テーブル３１の内容を図４Ｂに示すものに変更する（ステップＳ５０５）。
【００６４】
その後、利用者がポップアップ表示を利用して、テレビ番組の視聴を継続することを指示した場合（ステップＳ５０６がＹＥＳ）は、制御部２４は、ステップＳ５０１の処理に戻る。
【００６５】
これに対して、利用者がポップアップ表示を利用して、視聴中のテレビ番組は蓄積し、ＨＴＭＬコンテンツを全画面表示することを指示した場合（ステップＳ５０６がＮＯ）は、制御部２４は、管理テーブル３１の内容が図４Ｂに示すものになっているので（テレビ機能付携帯電話装置１の状態が蓄積準備状態になっているので）、蓄積制御部２３ａに対して映像データ、音声データ及びデータ放送用コンテンツを蓄積することを指示すると共に、テレビ制御部２２ａ及びデータ放送用ブラウザ２２ｂを停止させる（ステップＳ５０７）。蓄積制御部２３ａでは、制御部２４からの指示に従って、チューナデータ処理部２９ａから出力されている映像データ、音声データ及びデータ放送用コンテンツをデータ蓄積部２３ｂに蓄積する。なお、第１の実施例では、映像データ、音声データ及びデータ放送用コンテンツをデータ蓄積部２３ｂに蓄積するようにしたが、利用者に対して映像データ、音声データ及びデータ放送用コンテンツの全てを蓄積するのか、それとも映像データ及び音声データのみを蓄積するのかを問い合わせるポップアップ表示を行い、利用者によって指示されたデータをデータ蓄積部に蓄積するようにしても良い。
【００６６】
その後、制御部２４は、管理テーブル３１の内容が図４Ｂに示すものになっているので、通信ブラウザ２２ｃを起動し、更に、状態管理部２２ｄに対して、テレビ制御部２２ａ、データ放送用ブラウザ２２ｂ、通信ブラウザ２２ｃ、表示部１１の状態をそれぞれ蓄積中、蓄積中、提示中、全画面表示にすることを指示する（ステップＳ５０８）。これにより、状態管理部２２ｄは、管理テーブル３１の内容を図４Ｃに示すものに変更する。
【００６７】
その後、制御部２４は、データ放送用ブラウザ２２ｂから渡されているＵＲＬに従って該当するＨＴＭＬコンテンツをインターネット上から取得し、通信ブラウザ２２ｃに渡す（ステップＳ５０９）。これにより、通信ブラウザ２２ｃは、上記ＨＴＭＬコンテンツを表示部１１に全画面表示する。
【００６８】
その後、利用者が、表示部１１に表示されているＨＴＭＬコンテンツ中のリンク情報を操作すると（ステップＳ５１０がＹＥＳ）、通信ブラウザ２２ｃは、リンク先を示すＵＲＬを制御部２４に渡す。このとき、管理テーブル３１の内容は、図４Ｃに示すものになっているので（テレビ機能付携帯電話装置１の状態が、ＨＴＭＬコンテンツ提示・データ蓄積状態になっているので）、制御部２４は、上記ＵＲＬによって示されるＨＴＭＬコンテンツをインターネット上から取得し、通信ブラウザ２２ｃに渡す（ステップＳ５０９）。
【００６９】
その後、利用者が通信ブラウザ２２ｃの終了を指示すると（ステップＳ５１１がＹＥＳ）、制御部２４は、通信ブラウザ２２ｃを停止させると共に、管理テーブル３１の内容が図４Ｃに示すものになっているので、利用者に対して蓄積しているデータを再生するのか、それともテレビ視聴を継続するのかを確認するためのポップアップ表示を行う（ステップＳ５１２）。
【００７０】
利用者がポップアップ表示を利用して、蓄積データの再生を指示すると（ステップＳ５１３がＹＥＳ）、制御部２４は、管理テーブル３１の内容が図４Ｃに示すものになっているので、テレビ制御部２２ａ及びデータ放送用ブラウザ２２ｂを起動し、データ蓄積部２３ｂに蓄積されている映像データ及び音声データをテレビ制御部２２ａに供給し、データ放送用コンテンツをデータ放送用ブラウザ２２ｂに供給する。更に、制御部２４は、状態管理部２２ｄに対して、管理テーブル３１で管理しているテレビ制御部２２ａ、データ放送用ブラウザ２２ｂ、通信ブラウザ２２ｃ、表示部１１の状態をそれぞれ再生中、再生中、停止中、分割表示にすることを指示する（ステップＳ５１４）。これにより、データ蓄積部２３ｂに蓄積しておいたテレビ番組が再生されると共に、管理テーブル３１の内容が図４Ｄに示すものに変更される。
【００７１】
その後、制御部２４は、利用者によって蓄積データの再生終了が指示されると（ステップＳ５１５がＹＥＳ）、テレビ制御部２２ａ及びデータ放送用ブラウザ２２ｂに対する蓄積データの供給処理を停止し、その代わりにテレビ制御部２２ａ及びデータ放送用ブラウザ２２ｂに対するチューナデータ処理部２９ａの出力データの供給処理を開始する。更に、制御部２４は、状態管理部２２ｄに対して、管理テーブル３１で管理しているテレビ制御部２２ａ、データ放送用ブラウザ２２ｂ、通信ブラウザ２２ｃ、表示部１１の状態をそれぞれ実行中、提示中、停止中、分割表示にすることを指示する（ステップＳ５１６）。これにより、現在放送されているテレビ番組が再生されると共に、管理テーブル３１の内容が図４Ａに示すものとなる。その後、制御部２４は、ステップＳ５０１の処理に戻る。
【００７２】
これに対して、現在放送中のテレビ番組を再生することが指示された場合（ステップＳ５１３がＮＯ）は、制御部２４は、テレビ制御部２２ａ及びデータ放送用ブラウザ２２ｂを起動し、チューナデータ処理部２９ａから出力されているデータをテレビ制御部２２ａ及びデータ放送用ブラウザ２２ｂに供給する。更に、状態管理部２２ｄに対して、管理テーブル３１で管理しているテレビ制御部２２ａ、データ放送用ブラウザ２２ｂ、通信ブラウザ２２ｃ、表示部１１の状態をそれぞれ実行中、提示中、停止中、分割表示にすることを指示する（ステップＳ５１７）。これにより、現在放送中のテレビ番組が再生されると共に、管理テーブル３１の内容が図４Ａに示すものとなる。その後、制御部２４は、ステップＳ５０１の処理を行う。
【００７３】
制御部２４は、利用者によってテレビ番組の視聴終了が指示されるまで（ステップＳ５０１がＹＥＳとなるまで）、前述した処理を繰り返し行う。
【００７４】
なお、以上の説明では述べなかったが、ステップＳ５０８において通信ブラウザ２２ｃを起動した後、予め定められている一定時間が経過しても、利用者によって通信ブラウザ２２ｃの終了が指示されかなった場合、利用者に対してデータの蓄積を継続するか否かを確認するためのポップアップ表示を行い、利用者によって蓄積終了が指示された場合、蓄積制御部２３ａによるデータの蓄積処理を終了するようにしても良い。
【００７５】
次に、図６のフローチャートを参照して、利用者がテレビ番組を視聴中に、データ放送用コンテンツ保存要求をキー入力部１２から入力した場合の動作を説明する。
【００７６】
利用者は、テレビ番組を視聴中に、リンク情報によってリンクされているコンテンツへアクセスしたい一方で、テレビ番組の視聴も継続したい場合がある。このような場合、利用者は、キー入力部１２からデータ放送用コンテンツ保存要求を入力する。
【００７７】
制御部２４は、データ放送用コンテンツ保存要求が入力されると、先ず、テレビ機能付携帯電話装置１の状態がテレビ視聴状態になっているか否かを、管理テーブル３１を参照して判断する（ステップＳ６１）。即ち、管理テーブル３１の内容が、図４Ａに示すものである場合には、テレビ機能付携帯電話装置１の状態がテレビ視聴状態になっていると判断する。
【００７８】
そして、テレビ視聴状態になっていないと判断した場合（ステップＳ６１がＮＯ）は、制御部２４は、処理を終了する。これに対して、テレビ視聴状態になっていると判断した場合（ステップＳ６１がＹＥＳ）は、データ放送用ブラウザ２２ｂに対して、現在表示中のデータ放送用コンテンツ（リンク情報を含む）および現在視聴中のテレビ番組を特定する番組特定情報をデータ蓄積部２３ｂに蓄積することを指示する（ステップＳ６２）。これにより、データ放送用ブラウザ２２ｂは、現在表示中のデータ放送用コンテンツと、番組特定情報とを対応付けてデータ蓄積部２３ｂに登録する。なお、番組特定情報としては、例えば、番組名を使用することができる。
【００７９】
（第１の実施例における効果）
第１の実施例によれば、テレビ番組の視聴中の利用者によってＨＴＭＬコンテンツの提示が指示された場合、利用者がＨＴＭＬコンテンツを視聴している間に放送されたテレビ番組の内容を、後で視聴することができるという効果を得ることができる。その理由は、テレビ番組の視聴中の利用者によってＨＴＭＬコンテンツの提示が指示された場合、即ち、全画面を行う通信ブラウザ２２ｃの起動が指示された場合、ディジタル放送波によって送られてくる映像データ及び音声データを順次データ蓄積部に蓄積するようにしているからである。
【００８０】
また、第１の実施例は、テレビ番組の視聴中の利用者によってデータ放送用コンテンツ保存要求が入力された場合、現在表示中のデータ放送用コンテンツに含まれているリンク情報をデータ蓄積部２３ｄに蓄積するようにしているので、テレビ番組の視聴終了後に、確実に上記リンク情報に従ってリンク先の情報を取得することが可能になる。更に、第１の実施例では、リンク情報と番組名などの番組特定情報とを対応付けてデータ蓄積部２３ｄに蓄積するようにしているので、利用者はどのリンク情報がどの番組に対応しているのか容易に認識することができる。
【００８１】
（本発明の第２の実施例）
次に、本発明の第２の実施例について説明する。第２の実施例は、テレビ番組の視聴中に通信ブラウザによってＨＴＭＬコンテンツを全画面表示する場合だけでなく、他の全画面表示を行うアプリケーションプログラムが起動された場合にも、視聴中のテレビ番組の映像データ、音声データおよびデータ放送用コンテンツを蓄積するようにしたことを特徴とする。
【００８２】
第２の実施例は、図２に示したテレビ機能付携帯電話装置１の制御部２４に、図５のフローチャートに示す処理の代わりに、図７のフローチャートに示す処理を行わせることにより実現される。図７のフローチャートは、ステップＳ７１〜Ｓ７７が追加されている点が図５のフローチャートと相違しており、以下ではこの相違点について説明する。
【００８３】
テレビ番組の視聴中の利用者がキー入力部１２を用いて起動するアプリケーションプログラムのプログラム名を含む起動要求を入力すると（図７のステップＳ７１がＹＥＳ）、制御部２４は、起動要求されたアプリケーションプログラムが全画面表示を行うものであるか否かを判断する（ステップＳ７２）。この判断は、例えば、テレビ機能付携帯電話装置１に実装されている各アプリケーションプログラムのプログラム名に対応付けて、そのアプリケーションプログラムが全画面表示を行うものであるのか、分割表示を行うものであるのかを示す画面種別情報を登録した画面種別情報テーブルを用意しておき、この画面種別情報テーブルを参照することにより行う。即ち、起動要求に含まれているプログラム名に対応付けて登録されている画面種別情報に基づいて、全画面表示を行うアプリケーションプログラムであるか否かを判断する。なお、ステップＳ７１の判断結果がＮＯとなった場合は、制御部２４は、図５のステップＳ５０２以降の処理と同様の処理を行う。
【００８４】
そして、全画面表示を行うアプリケーションプログラムであると判断した場合（ステップＳ７２がＹＥＳ）は、利用者に対してテレビ視聴を継続するのか、それとも視聴中のテレビ番組は蓄積し、アプリケーションプログラムによる全画面表示を行うのかを確認するためのポップアップ表示を行う（ステップＳ７３）。
【００８５】
このポップアップ表示を介して、テレビ番組の視聴を継続することが指示された場合（ステップＳ７４がＹＥＳ）は、制御部２４は、ステップＳ５０１の処理に戻る。これに対して、視聴中のテレビ番組を蓄積し、アプリケーションプログラムによる全画面表示を行うことが指示された場合（ステップＳ７４がＮＯ）は、蓄積制御部２３ａに対して映像データ、音声データ及びデータ放送用コンテンツの蓄積を指示すると共に、テレビ制御部２２ａ及びデータ放送用ブラウザ２２ｂを停止させる（ステップＳ７５）。蓄積制御部２３ａでは、制御部２４からの指示に従って、チューナデータ処理部２９ａから出力されている映像データ、音声データ及びデータ放送用コンテンツをデータ蓄積部２３ｂに蓄積する。
【００８６】
その後、制御部２４は、起動要求されたアプリケーションプログラムを起動する（ステップＳ７６）。なお、ステップＳ７２の判断結果がＮＯとなった場合も、制御部２４は、起動要求されたアプリケーションプログラムを起動する（ステップＳ７６）。これ以後、アプリケーションプログラムの終了が指示されるまで、アプリケーションプログラムに従った処理が行われ、アプリケーションプログラムの終了が指示されると（ステップＳ７７がＹＥＳとなると）、制御部２４は、図５に示したステップＳ５１２以降の処理と同様の処理を行う。
【００８７】
（第２の実施例の効果）
第２の実施例によれば、第１の実施例が有している効果に加え、テレビ番組の視聴中の利用者により全画面表示を行うアプリケーションプログラムが起動された場合であっても、アプリケーションプログラムによって全画面表示が行われている間に放送されたテレビ番組の内容を、後で視聴することができるという効果を得ることができる。その理由は、テレビ番組の視聴中の利用者によって全画面表示を行うアプリケーションプログラムの起動が指示された場合、ディジタル放送波によって送られてくる映像データ及び音声データを順次データ蓄積部２３ｂに蓄積するようにしているからである。
【産業上の利用可能性】
【００８８】
本発明は、地上ディジタル放送を受信可能なテレビ機能付携帯電話装置などの携帯機器に適用することができる。
【符号の説明】
【００８９】
１…テレビ機能付携帯電話装置
１１…表示部
１２…キー入力部
２１…入力処理部
２２ａ…テレビ制御部
２２ｂ…データ放送用ブラウザ
２２ｃ…通信ブラウザ
２２ｄ…状態管理部
２３ａ…蓄積制御部
２３ｂ…データ蓄積部
２４…制御部
２５…無線処理部
２６…音声処理部
２６ａ…マイクロフォン
２６ｂ…スピーカー
２７…表示制御部
２８…動画処理部
２９ａ…チューナデータ処理部
２９ｂ…チューナ制御部
【図１】
2011135605.tif 000003
【図２】
2011135605.tif 000004
【図３】
2011135605.tif 000005
【図４Ａ】
2011135605.tif 000006
【図４Ｂ】
2011135605.tif 000007
【図４Ｃ】
2011135605.tif 000008
【図４Ｄ】
2011135605.tif 000009
【図５】
2011135605.tif 000010
【図６】
2011135605.tif 000011
【図７】
2011135605.tif 000012
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器において、
前記ディジタル放送波によって送られてくる映像データ及び音声データを蓄積するデータ蓄積部と、
テレビ視聴を継続できないアプリケーションプログラムの起動が指示された場合、テレビ番組の視聴を継続するのか視聴中のテレビ番組を蓄積するのか確認するための表示を所定のタイミングで行う制御をする表示制御部と、
を有することを特徴とするテレビ機能付携帯機器。
【請求項２】
請求項１記載のテレビ機能付携帯機器において、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とするテレビ機能付携帯機器。
【請求項３】
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器において、
前記ディジタル放送波によって送られてくる映像データ及び音声データを蓄積するデータ蓄積部と、
ＨＴＭＬコンテンツの提示が指示された場合、テレビ番組の視聴を継続するのか視聴中のテレビ番組を蓄積するのか確認するための表示を所定のタイミングで行う制御をする表示制御部と、
を有することを特徴とするテレビ機能付携帯機器。
【請求項４】
請求項３記載のテレビ機能付携帯機器において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とするテレビ機能付携帯機器。
【請求項５】
請求項３記載のテレビ機能付携帯機器において、
前記データ放送用コンテンツが、ＨＴＭＬコンテンツへのリンク情報を含み、且つ、
前記テレビ機能付携帯機器が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とするテレビ機能付携帯機器。
【請求項６】
請求項５記載のテレビ機能付携帯機器において、
前記リンク情報を前記データ蓄積部に登録する際、現在視聴中のテレビ番組を特定するテレビ番組特定情報に対応付けて前記リンク情報を登録する構成を有することを特徴とするテレビ機能付携帯機器。
【請求項７】
請求項３乃至６のいずれか一項記載のテレビ機能付携帯機器において、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とするテレビ機能付携帯機器。
【請求項８】
表示部と、
音声出力部と、
映像データ、音声データ及びデータ放送用コンテンツを含んだディジタル放送波を受信するディジタル放送波受信部と、
該ディジタル放送波受信部で受信したディジタル放送波に含まれている映像データに従った映像を前記表示部の一部に表示すると共に、前記ディジタル放送波に含まれている音声データに従った音声を前記音声出力部から出力するテレビ制御部と、
前記ディジタル放送波受信部で受信したディジタル放送波に含まれているデータ放送用コンテンツに従って、リンク情報を含む画像を、前記表示部の前記テレビ制御部によって画像が表示されていない部分に表示するデータ放送用ブラウザと、
前記表示部に表示されているリンク情報が操作されたとき、該操作されたリンク情報のリンク先コンテンツが、ＨＴＭＬコンテンツであるか、データ放送用コンテンツであるかを判定する制御部と、
該制御部でリンク先コンテンツがＨＴＭＬコンテンツであると判定された場合、前記テレビ制御部に代わって、前記表示部及び前記音声出力部に対して、前記ＨＴＭＬコンテンツに従った表示及び音声出力を行う通信ブラウザと、
前記ディジタル放送波受信部で受信した映像データ及び音声データを蓄積するデータ蓄積部と、
前記制御部でリンク先コンテンツがＨＴＭＬコンテンツであると判定された場合、テレビ番組の視聴を継続するのか視聴中のテレビ番組を蓄積するのか確認するための表示を所定のタイミングで行う制御をする表示制御部と、
を有することを特徴とするテレビ機能付携帯機器。
【請求項９】
請求項８記載のテレビ機能付携帯機器において、
前記映像データ及び音声データに加えて、前記ディジタル放送波受信部によって受信されたディジタル放送波に含まれているデータ放送用コンテンツも前記データ蓄積部に蓄積する構成を有することを特徴とするテレビ機能付携帯機器。
【請求項１０】
請求項８記載のテレビ機能付携帯機器において、
利用者によってデータ放送用コンテンツ保存要求が入力されたとき、前記表示部に現在表示されているデータ放送用コンテンツ中のリンク情報を前記データ蓄積部に蓄積する構成を有することを特徴とするテレビ機能付携帯機器。
【請求項１１】
請求項１０記載のテレビ機能付携帯機器において、
前記リンク情報を前記データ蓄積部に登録する際、現在視聴中のテレビ番組を特定するテレビ番組特定情報に対応付けて前記リンク情報を登録する構成を有することを特徴とするテレビ機能付携帯機器。
【請求項１２】
請求項８乃至１１のいずれか一項記載のテレビ機能付携帯機器において、
前記通信ブラウザを起動した後、予め定められている一定時間が経過しても、利用者によって前記通信ブラウザの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とするテレビ機能付携帯機器。
【請求項１３】
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器における番組情報蓄積方法であって、
前記ディジタル放送波によって送られてくる映像データ及び音声データをデータ蓄積部に蓄積するステップと、
テレビ視聴を継続できないアプリケーションプログラムの起動が指示された場合、テレビ番組の視聴を継続するのか視聴中のテレビ番組を蓄積するのか確認するための表示を所定のタイミングで行う制御をするステップと、
を有することを特徴とする番組情報蓄積方法。
【請求項１４】
請求項１３記載の番組情報蓄積方法において、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする番組情報蓄積方法。
【請求項１５】
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器における番組情報蓄積方法であって、
前記ディジタル放送波によって送られてくる映像データ及び音声データをデータ蓄積部に蓄積するステップと、
ＨＴＭＬコンテンツの提示が指示された場合、テレビ番組の視聴を継続するのか視聴中のテレビ番組を蓄積するのか確認するための表示を所定のタイミングで行う制御をするステップと、
を有することを特徴とする番組情報蓄積方法。
【請求項１６】
請求項１５記載の番組情報蓄積方法において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積することを特徴とする番組情報蓄積方法。
【請求項１７】
請求項１５記載の番組情報蓄積方法において、
前記データ放送用コンテンツが、ＨＴＭＬコンテンツへのリンク情報を含み、且つ、
テレビ番組の視聴中の利用者によってデータ放送用コンテンツ保存要求が入力されたとき、現在表示中のデータ放送用コンテンツに含まれているリンク情報を前記データ蓄積部に蓄積することを特徴とする番組情報蓄積方法。
【請求項１８】
請求項１７記載の番組情報蓄積方法において、
前記リンク情報を前記データ蓄積部に登録する際、現在視聴中のテレビ番組を特定するテレビ番組特定情報に対応付けて前記リンク情報を登録することを特徴とする番組情報蓄積方法。
【請求項１９】
請求項１５乃至１８のいずれか一項記載の番組情報蓄積方法において、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする番組情報蓄積方法。
【請求項２０】
コンピュータを、ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器として機能させるためのプログラムであって、
前記コンピュータを、
前記ディジタル放送波によって送られてくる映像データ及び音声データをデータ蓄積部に蓄積する手段、及び
テレビ視聴を継続できないアプリケーションプログラムの起動が指示された場合、テレビ番組の視聴を継続するのか視聴中のテレビ番組を蓄積するのか確認するための表示を所定のタイミングで行う制御をする手段として機能させるためのプログラム。
【請求項２１】
請求項２０記載のプログラムにおいて、
前記コンピュータを、更に、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了する手段として機能させることを特徴とするプログラム。
【請求項２２】
コンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、テレビ番組を視聴させるテレビ機能付携帯機器として機能させるためのプログラムであって、
前記コンピュータを、
前記ディジタル放送波によって送られてくる映像データ及び音声データをデータ蓄積部に蓄積する手段、及び、
ＨＴＭＬコンテンツの提示が指示された場合、テレビ番組の視聴を継続するのか視聴中のテレビ番組を蓄積するのか確認するための表示を所定のタイミングで行う制御をする手段として機能させるためのプログラム。
【請求項２３】
請求項２２記載のプログラムにおいて、
前記手段が、テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とするプログラム。
【請求項２４】
請求項２２記載のプログラムにおいて、
前記データ放送用コンテンツが、ＨＴＭＬコンテンツへのリンク情報を含み、且つ、
前記手段が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とするプログラム。
【請求項２５】
請求項２４記載のプログラムにおいて、
前記手段が、前記リンク情報を前記データ蓄積部に登録する際、現在視聴中のテレビ番組を特定するテレビ番組特定情報に対応付けて前記リンク情報を登録する構成を有することを特徴とするプログラム。
【請求項２６】
請求項２２乃至２５のいずれか一項記載のプログラムにおいて、
前記コンピュータを、更に、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了する手段として機能させることを特徴とするプログラム。
【手続補正２】
【補正対象書類名】明細書
【補正対象項目名】０００９
【補正方法】変更
【補正の内容】
【０００９】
本発明における第１のテレビ機能付携帯機器は、
ディジタル放送波によって送られてくる映像データ、音声データ及びＢＭＬ(Broadcast Markup Language)、ＨＴＭＬなどのデータ放送用コンテンツ（以下、単にデータ放送用コンテンツと言う）を受信し、前記映像データ及び前記データ放送用コンテンツに基づいた表示を行うと共に前記音声データに基づいた音声出力を行うことにより、テレビ番組を視聴させるテレビ機能付携帯機器において、
前記ディジタル放送波によって送られてくる映像データ及び音声データを蓄積するデータ蓄積部と、
テレビ視聴を継続できないアプリケーションプログラムの起動が指示された場合、テレビ番組の視聴を継続するのか視聴中のテレビ番組を蓄積するのか確認するための表示を所定のタイミングで行う制御をする表示制御部と、
を有することを特徴とする。
本発明における第２のテレビ機能付携帯機器は、第１のテレビ機能付携帯機器において、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする。
【手続補正３】
【補正対象書類名】明細書
【補正対象項目名】００１０
【補正方法】変更
【補正の内容】
【００１０】
本発明における第３のテレビ機能付携帯機器は、
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器において、
前記ディジタル放送波によって送られてくる映像データ及び音声データを蓄積するデータ蓄積部と、
ＨＴＭＬコンテンツの提示が指示された場合、テレビ番組の視聴を継続するのか視聴中のテレビ番組を蓄積するのか確認するための表示を所定のタイミングで行う制御をする表示制御部と、
を有することを特徴とする。
【手続補正４】
【補正対象書類名】明細書
【補正対象項目名】００１１
【補正方法】変更
【補正の内容】
【００１１】
本発明における第４のテレビ機能付携帯機器は、第３のテレビ機能付携帯機器において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とする。
【手続補正５】
【補正対象書類名】明細書
【補正対象項目名】００１２
【補正方法】変更
【補正の内容】
【００１２】
本発明における第５のテレビ機能付携帯機器は、第３のテレビ機能付携帯機器において、
前記データ放送用コンテンツが、ＨＴＭＬコンテンツへのリンク情報を含み、且つ、
前記テレビ機能付携帯機器が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とする。
【手続補正６】
【補正対象書類名】明細書
【補正対象項目名】００１３
【補正方法】変更
【補正の内容】
【００１３】
本発明における第６のテレビ機能付携帯機器は、第５のテレビ機能付携帯機器において、
前記リンク情報を前記データ蓄積部に登録する際、現在視聴中のテレビ番組を特定するテレビ番組特定情報に対応付けて前記リンク情報を登録する構成を有することを特徴とする。
本発明における第７のテレビ機能付携帯機器は、第３乃至６のいずれかのテレビ機能付携帯機器において、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする。
【手続補正７】
【補正対象書類名】明細書
【補正対象項目名】００１４
【補正方法】変更
【補正の内容】
【００１４】
本発明における第８のテレビ機能付携帯機器は、
表示部と、
音声出力部と、
映像データ、音声データ及びデータ放送用コンテンツを含んだディジタル放送波を受信するディジタル放送波受信部と、
該ディジタル放送波受信部で受信したディジタル放送波に含まれている映像データに従った映像を前記表示部の一部に表示すると共に、前記ディジタル放送波に含まれている音声データに従った音声を前記音声出力部から出力するテレビ制御部と、
前記ディジタル放送波受信部で受信したディジタル放送波に含まれているデータ放送用コンテンツに従って、リンク情報を含む画像を、前記表示部の前記テレビ制御部によって画像が表示されていない部分に表示するデータ放送用ブラウザと、
前記表示部に表示されているリンク情報が操作されたとき、該操作されたリンク情報のリンク先コンテンツが、ＨＴＭＬコンテンツであるか、データ放送用コンテンツであるかを判定する制御部と、
該制御部でリンク先コンテンツがＨＴＭＬコンテンツであると判定された場合、前記テレビ制御部に代わって、前記表示部及び前記音声出力部に対して、前記ＨＴＭＬコンテンツに従った表示及び音声出力を行う通信ブラウザと、
前記ディジタル放送波受信部で受信した映像データ及び音声データを蓄積するデータ蓄積部と、
前記制御部でリンク先コンテンツがＨＴＭＬコンテンツであると判定された場合、テレビ番組の視聴を継続するのか視聴中のテレビ番組を蓄積するのか確認するための表示を所定のタイミングで行う制御をする表示制御部と、
を有することを特徴とする。
【手続補正８】
【補正対象書類名】明細書
【補正対象項目名】００１５
【補正方法】変更
【補正の内容】
【００１５】
本発明における第９のテレビ機能付携帯機器は、第８のテレビ機能付携帯機器において、
前記映像データ及び音声データに加えて、前記ディジタル放送波受信部によって受信されたディジタル放送波に含まれているデータ放送用コンテンツも前記データ蓄積部に蓄積する構成を有することを特徴とする。
【手続補正９】
【補正対象書類名】明細書
【補正対象項目名】００１６
【補正方法】変更
【補正の内容】
【００１６】
本発明における第１０のテレビ機能付携帯機器は、第８のテレビ機能付携帯機器において、
利用者によってデータ放送用コンテンツ保存要求が入力されたとき、前記表示部に現在表示されているデータ放送用コンテンツ中のリンク情報を前記データ蓄積部に蓄積する構成を有することを特徴とする。
【手続補正１０】
【補正対象書類名】明細書
【補正対象項目名】００１７
【補正方法】変更
【補正の内容】
【００１７】
本発明における第１１のテレビ機能付携帯機器は、第１０のテレビ機能付携帯機器において、
前記蓄積制御部が、前記リンク情報を前記データ蓄積部に登録する際、現在視聴中のテレビ番組を特定するテレビ番組特定情報に対応付けて前記リンク情報を登録する構成を有することを特徴とする。
本発明における第１２のテレビ機能付携帯機器は、第８乃至１１のテレビ機能付携帯機器において、
前記通信ブラウザを起動した後、予め定められている一定時間が経過しても、利用者によって前記通信ブラウザの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする。
【手続補正１１】
【補正対象書類名】明細書
【補正対象項目名】００１８
【補正方法】変更
【補正の内容】
【００１８】
本発明における第１の番組情報蓄積方法は、
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器における番組情報蓄積方法であって、
前記ディジタル放送波によって送られてくる映像データ及び音声データをデータ蓄積部に蓄積するステップと、
テレビ視聴を継続できないアプリケーションプログラムの起動が指示された場合、テレビ番組の視聴を継続するのか視聴中のテレビ番組を蓄積するのか確認するための表示を所定のタイミングで行う制御をするステップと、
を有することを特徴とする。
本発明における第２の番組情報蓄積方法は、第１の番組情報蓄積方法において、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする。
【手続補正１２】
【補正対象書類名】明細書
【補正対象項目名】００１９
【補正方法】変更
【補正の内容】
【００１９】
本発明における第３の番組情報蓄積方法は、
ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器における番組情報蓄積方法であって、
前記ディジタル放送波によって送られてくる映像データ及び音声データをデータ蓄積部に蓄積するステップと、
ＨＴＭＬコンテンツの提示が指示された場合、テレビ番組の視聴を継続するのか視聴中のテレビ番組を蓄積するのか確認するための表示を所定のタイミングで行う制御をするステップと、
を有することを特徴とする。
【手続補正１３】
【補正対象書類名】明細書
【補正対象項目名】００２０
【補正方法】変更
【補正の内容】
【００２０】
本発明における第４の番組情報蓄積方法は、第３の番組情報蓄積方法において、
テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積することを特徴とする。
【手続補正１４】
【補正対象書類名】明細書
【補正対象項目名】００２１
【補正方法】変更
【補正の内容】
【００２１】
本発明における第５の番組情報蓄積方法は、第３の番組情報蓄積方法において、
前記データ放送用コンテンツが、ＨＴＭＬコンテンツへのリンク情報を含み、且つ、
テレビ番組の視聴中の利用者によってデータ放送用コンテンツ保存要求が入力されたとき、現在表示中のデータ放送用コンテンツに含まれているリンク情報を前記データ蓄積部に蓄積することを特徴とする。
【手続補正１５】
【補正対象書類名】明細書
【補正対象項目名】００２２
【補正方法】変更
【補正の内容】
【００２２】
本発明における第６の番組情報蓄積方法は、第５の番組情報蓄積方法において、
前記リンク情報を前記データ蓄積部に登録する際、現在視聴中のテレビ番組を特定するテレビ番組特定情報に対応付けて前記リンク情報を登録することを特徴とする。
本発明における第７の番組情報蓄積方法は、第３乃至６のいずれかの番組情報蓄積方法において、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了することを特徴とする。
【手続補正１６】
【補正対象書類名】明細書
【補正対象項目名】００２３
【補正方法】変更
【補正の内容】
【００２３】
本発明における第１のプログラムは、
コンピュータを、ディジタル放送波によって送られてくる映像データ、音声データ及びデータ放送用コンテンツを受信し、前記映像データ及び前記データ放送用コンテンツに基づいた表示を行うと共に前記音声データに基づいた音声出力を行うことにより、テレビ番組を視聴させるテレビ機能付携帯機器として機能させるためのプログラムであって、
前記コンピュータを、
前記ディジタル放送波によって送られてくる映像データ及び音声データをデータ蓄積部に蓄積する手段、及び
テレビ視聴を継続できないアプリケーションプログラムの起動が指示された場合、テレビ番組の視聴を継続するのか視聴中のテレビ番組を蓄積するのか確認するための表示を所定のタイミングで行う制御をする手段として機能させる。
本発明における第２のプログラムは、第１のプログラムにおいて、
前記コンピュータを、更に、
前記アプリケーションプログラムを起動した後、予め定められている一定時間が経過しても、利用者によって前記アプリケーションプログラムの終了が指示されかなった場合、利用者に対してデータの蓄積を継続するか否かを確認するための表示を行うと共に、利用者によって蓄積終了が指示された場合は前記データ蓄積部へのデータ蓄積処理を終了する手段として機能させることを特徴とする。
【手続補正１７】
【補正対象書類名】明細書
【補正対象項目名】００２４
【補正方法】変更
【補正の内容】
【００２４】
本発明における第３のプログラムは、
コンピュータを、ディジタル放送波によって送られてくる映像データ、音声データ及びデータ放送用コンテンツを受信し、前記映像データ及び前記データ放送用コンテンツに従った表示を行うと共に前記音声データに従った音声出力を行うことにより、テレビ番組を視聴させるテレビ機能付携帯機器として機能させるためのプログラムであって、
前記コンピュータを、
前記ディジタル放送波によって送られてくる映像データ及び音声データをデータ蓄積部に蓄積する手段、及び、
ＨＴＭＬコンテンツの提示が指示された場合、テレビ番組の視聴を継続するのか視聴中のテレビ番組を蓄積するのか確認するための表示を所定のタイミングで行う制御をする手段として機能させる。
【手続補正１８】
【補正対象書類名】明細書
【補正対象項目名】００２５
【補正方法】変更
【補正の内容】
【００２５】
本発明における第４のプログラムは、第３のプログラムにおいて、
前記手段が、テレビ番組の視聴中の利用者によってＨＴＭＬコンテンツの提示が指示された場合、前記映像データ及び前記音声データに加えて前記ディジタル放送波によって送られてくるデータ放送用コンテンツも前記データ蓄積部に蓄積する構成を有することを特徴とする。
【手続補正１９】
【補正対象書類名】明細書
【補正対象項目名】００２６
【補正方法】変更
【補正の内容】
【００２６】
本発明における第５のプログラムは、第３のプログラムにおいて、
前記データ放送用コンテンツが、ＨＴＭＬコンテンツへのリンク情報を含み、且つ、
前記手段が、テレビ番組の視聴中の利用者によってデータ放送用コンテンツ保存要求が入力されたとき、現在表示中のデータ放送用コンテンツに含まれているリンク情報を前記データ蓄積部に蓄積する構成を有することを特徴とする。
【手続補正２０】
【補正対象書類名】明細書
【補正対象項目名】００２７
【補正方法】変更
【補正の内容】
【００２７】
本発明における第６のプログラムは、第５のプログラムにおいて、
前記手段が、前記リンク情報を前記データ蓄積部に登録する際、現在視聴中のテレビ番組を特定するテレビ番組特定情報に対応付けて前記リンク情報を登録する構成を有することを特徴とする。
本発明における第７のプログラムは、第３乃至６のいずれかのプログラムにおいて、
前記コンピュータを、更に、
前記ＨＴＭＬコンテンツを提示した後、予め定められている一定時間が経過しても、利用者によって前記ＨＴＭＬコンテンツの提示終了が指示されかなった場合、利用者に対してデータの蓄積を継続するか否かを確認するための表示を行うと共に、利用者によって蓄積終了が指示された場合は前記データ蓄積部へのデータ蓄積処理を終了する手段として機能させることを特徴とする。